(57)【要約】  無線ネットワークにおけるユーザ機器の位置を測定するデバイス、方法、及びシステムを開示する。幾つかの実施形態では、ターゲットユーザ機器は通信モジュールを有し、該通信モジュールは、無線ネットワーク中のデバイスから第１のメッセージを受信し、第１のメッセージは一以上のアンカーＵＥに関する位置情報を含み、無線ネットワーク中のアンカーＵＥに第２のメッセージを送信し、第２のメッセージはアンカーＵＥの少なくとも１つの位置がターゲットＵＥに知られ得るかに関する問いあわせを含み、少なくとも１つのアンカーＵＥから第３のメッセージを受信し、第３のメッセージは少なくとも１つのアンカーＵＥの位置がターゲットＵＥに知られ得ることを示す、問いあわせに対する応答を含む。
2017513439.tif 000002
【特許請求の範囲】
【請求項１】
無線ネットワークにおけるターゲットユーザ機器（ＵＥ）であって、
通信モジュールを有し、該通信モジュールは、
前記無線ネットワーク中のデバイスから第１のメッセージを受信し、前記第１のメッセージは一以上のアンカーＵＥに関する位置情報を含み、
前記無線ネットワーク中の前記アンカーＵＥに第２のメッセージを送信し、前記第２のメッセージは前記アンカーＵＥの少なくとも１つの位置が前記ターゲットＵＥに知られ得るかに関する問いあわせを含み、
前記少なくとも１つのアンカーＵＥから第３のメッセージを受信し、前記第３のメッセージは前記少なくとも１つのアンカーＵＥの位置が前記ターゲットＵＥに知られ得ることを示す、前記問いあわせに対する応答を含む、
ターゲットＵＥ。
【請求項２】
前記第１のメッセージ中の位置情報は、前記アンカーＵＥの各々のデバイス識別子（ｄｅｖｉｃｅＩＤ）、前記アンカーＵＥがいる一以上のサービングセルの各々の物理的セル識別子（ＰｈｙｓＣｅｌｌＩｄ）、及び／又は前記ターゲットＵＥと前記少なくとも１つのアンカーＵＥとの間の位置測定に適した位置参照信号タイプを指定するインジケータ（ｐｒｓＴｙｐｅ）を含む、
請求項１に記載のターゲットＵＥ。
【請求項３】
前記第１のメッセージは複数のｄ２ｄ−ｐｏｓｉｔｉｏｎｉｎｇ−ａｎｃｈｏｒ−ｌｉｓｔｓを含み、各々は前記アンカーＵＥの１つのデバイス識別子（ｄｅｖｉｃｅｌＤ）、前記アンカーＵＥの１つがいるサービングセルの物理的セル識別子（ＰｈｙｓＣｅｌｌＩｄ）、及び前記ターゲットＵＥと前記アンカーＵＥとの間の位置差分を測定するデバイス・ツー・デバイスポジショニング測定が適しているか（ｐｒｓＴｙｐｅ）に関する１つのインジケータを含む、
請求項１に記載のターゲットＵＥ。
【請求項４】
前記第３のメッセージは、位置が前記ターゲットＵＥに知られ得るアンカーＵＥのデバイス識別子（ｄｅｖｉｃｅＩＤ）を含む、
請求項１に記載のターゲットＵＥ。
【請求項５】
前記アンカーＵＥから受信したｄｅｖｉｃｅＩＤに基づいて、前記アンカーＵＥがいるサービングセルの物理的セル識別子（ＰｈｙｓＣｅｌｌＩｄ）を検索する制御モジュールをさらに有する、
請求項１に記載のターゲットＵＥ。
【請求項６】
前記第３のメッセージは、前記アンカーＵＥがいるサービングセルの物理的セル識別子（ＰｈｙｓＣｅｌｌＩｄ）をさらに含む、
請求項１に記載のターゲットＵＥ。
【請求項７】
前記ターゲットＵＥと、位置が前記ターゲットＵＥに知り得る前記アンカーＵＥとの間の位置差分を測定する入出力デバイスをさらに有する、
請求項１に記載のターゲットＵＥ。
【請求項８】
前記位置差分は光フォーカス法又はソナーに基づき測定される、請求項７に記載のターゲットＵＥ。
【請求項９】
前記デバイスはＬＢＳ（ｌｏｃａｔｉｏｎ  ｂａｓｅ  ｓｅｒｖｉｃｅ）サーバである、請求項１に記載のターゲットＵＥ。
【請求項１０】
前記制御モジュールは、さらに、前記アンカーＵＥの位置情報と、前記ターゲットＵＥとアンカーＵＥとの間の位置差分とに基づいて、前記ターゲットＵＥの位置レポートを生成し、
前記通信モジュールは、さらに、ＲＲＣ（ｒａｄｉｏ  ｒｅｓｏｕｒｃｅ  ｃｏｎｔｒｏｌ）接続を通じて、サービングｅＮＢ（ｅｖｏｌｖｅｄ  ＮｏｄｅＢ）に、相対的位置を含む第４のメッセージを送信する、
請求項５に記載のターゲットＵＥ。
【請求項１１】
前記無線ネットワークは、３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）標準及びその修正、更新、及び／又は改訂に従う、
請求項１に記載のターゲットＵＥ。
【請求項１２】
前記無線ネットワークは、無線ＬＡＮ（ＷＬＡＮ）標準に従う、
請求項１に記載のターゲットＵＥ。
【請求項１３】
無線ネットワークにおけるアンカーユーザ機器（ＵＥ）であって、
通信モジュールを有し、該通信モジュールは、
前記無線ネットワーク中のデバイスに第１のメッセージを送信し、前記第１のメッセージは前記アンカーＵＥに関する位置情報を含み、
前記無線ネットワーク中のターゲットＵＥから第２のメッセージを受信し、前記第２のメッセージは前記アンカーＵＥの位置が前記ターゲットＵＥに知られ得るかに関する問いあわせを含み、
前記アンカーＵＥから第３のメッセージを受信し、前記第３のメッセージは前記アンカーＵＥの位置が前記ターゲットＵＥに知られ得ることを示す、前記問いあわせに対する応答を含む、
アンカーＵＥ。
【請求項１４】
前記第１のメッセージ中の位置情報は前記アンカーＵＥの相対的位置を含み、前記相対的位置は、前記アンカーＵＥのデバイス識別子（ｄｅｖｉｃｅｌＤ）、前記アンカーＵＥがいるサービングセルの物理的セル識別子（ＰｈｙｓＣｅｌｌＩｄ）、及び／又は前記ターゲットＵＥとアンカーＵＥとの間の位置測定に適した位置参照信号タイプを指定するインジケータ（ｐｒｓＴｙｐｅ）を含む、請求項１３に記載のアンカーＵＥ。
【請求項１５】
前記第３のメッセージは、前記アンカーＵＥのデバイス識別子（ｄｅｖｉｃｅｌＤ）と、前記ターゲットＵＥとアンカーＵＥとの間の位置測定に適した位置参照信号タイプを指定するインジケータ（ｐｒｓＴｙｐｅ）とを含む、請求項１３に記載のアンカーＵＥ。
【請求項１６】
前記第３のメッセージは、前記アンカーＵＥがいるサービングセルの物理的セル識別子（ＰｈｙｓＣｅｌｌＩｄ）をさらに含む、請求項１３に記載のアンカーＵＥ。
【請求項１７】
前記デバイスはＬＢＳ（ｌｏｃａｔｉｏｎ  ｂａｓｅ  ｓｅｒｖｉｃｅ）サーバである、
請求項１３に記載のアンカーＵＥ。
【請求項１８】
前記アンカーＵＥの位置がセキュリティファクタに基づいて前記ターゲットＵＥに知られ得ると決定する制御モジュールをさらに含む、請求項１３に記載のアンカーＵＥ。
【請求項１９】
無線ネットワークにおけるターゲットユーザ機器（ＵＥ）により実行される方法であって、
前記無線ネットワーク中のデバイスから第１のメッセージを受信するステップであって、前記第１のメッセージは一以上のアンカーＵＥに関する位置情報を含むステップと、
前記無線ネットワーク中の前記アンカーＵＥに第２のメッセージを送信するステップであって、前記第２のメッセージは前記アンカーＵＥの少なくとも１つの位置が前記ターゲットＵＥに知られ得るかに関する問いあわせを含むステップと、
前記少なくとも１つのアンカーＵＥから第３のメッセージを受信するステップであって、前記第３のメッセージは前記少なくとも１つのアンカーＵＥの位置が前記ターゲットＵＥに知られ得ることを示す、前記問いあわせに対する応答を含むステップとを含む、
方法。
【請求項２０】
前記第１のメッセージ中の位置情報は、前記アンカーＵＥの各々のデバイス識別子（ｄｅｖｉｃｅＩＤ）、前記アンカーＵＥがいる一以上のサービングセルの各々の物理的セル識別子（ＰｈｙｓＣｅｌｌＩｄ）、及び／又は前記ターゲットＵＥと前記少なくとも１つのアンカーＵＥとの間の位置測定に適した位置参照信号タイプを指定するインジケータ（ｐｒｓＴｙｐｅ）を含む、
請求項１９に記載の方法。
【請求項２１】
前記第３のメッセージは、位置が前記ターゲットＵＥに知られ得るアンカーＵＥのデバイス識別子（ｄｅｖｉｃｅＩＤ）を含む、請求項１９に記載の方法。
【請求項２２】
前記アンカーＵＥから受信したｄｅｖｉｃｅＩＤに基づいて、前記アンカーＵＥがいるサービングセルの物理的セル識別子（ＰｈｙｓＣｅｌｌＩｄ）を検索するステップをさらに含む、
請求項１９に記載の方法。
【請求項２３】
前記ターゲットＵＥと、位置が前記ターゲットＵＥに知られ得るアンカーＵＥとの間の位置差分を測定するステップと、
前記アンカーＵＥの位置情報と、前記ターゲットＵＥとアンカーＵＥとの間の位置差分とに基づいて、前記ターゲットＵＥの位置レポートを生成するステップと、
ＲＲＣ（ｒａｄｉｏ  ｒｅｓｏｕｒｃｅ  ｃｏｎｔｒｏｌ）接続を通じて、サービングｅＮＢ（ｅｖｏｌｖｅｄ  ＮｏｄｅＢ）に、相対的位置を含む第４のメッセージを送信するステップとをさらに含む、
請求項１９に記載の方法。
【請求項２４】
前記無線ネットワークは、３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）標準及びその修正、更新、及び／又は改訂に従う、
請求項１９に記載の方法。
【請求項２５】
前記無線ネットワークは、無線ＬＡＮ（ＷＬＡＮ）標準に従う、請求項１９に記載の方法。
【発明の詳細な説明】
【背景技術】
【０００１】
３ＧＰＰ（３ｒｄ  Ｇｅｎｅｒａｔｉｏｎ  Ｐａｒｔｎｅｒｓｈｉｐ  Ｐｒｏｊｅｃｔ）の現行のＬＴＥ（Ｌｏｎｇ  Ｔｅｒｍ  Ｅｖｏｌｕｔｉｏｎ）標準およびその修正、更新、及び／又は改版（例えば、ＬＴＥ  Ｒｅｌ  １０又は１１）では、複数のユーザ機器（ＵＥ）ポジショニング方法が、サポートされている。ポジショニング方法の例には（ＡＧＮＳＳ（ｇｌｏｂａｌ  ｎａｖｉｇａｔｉｏｎ  ｓａｔｅｌｌｉｔｅ  ｓｙｓｔｅｍ）、ＯＴＤＯＡ（ｏｂｓｅｒｖｅｄ  ｔｉｍｅ  ｄｉｆｆｅｒｅｎｃｅ  ｏｆ  ａｒｒｉｖａｌ）、Ｅｎｈａｎｃｅｄ  Ｃｅｌｌ−Ｉｄｅｎｔｉｆｉｅｒ（Ｃｅｌｌ−ＩＤ）などがある。
【０００２】
例えば、ＯＴＤＯＡ法に基づき、ＵＥは、ＵＥから複数のｅＮＢ（ｅｖｏｌｖｅｄ  ＮｏｄｅＢ）、例えば３台以上のｅＮＢへの信号送信の送信時間差を測定する。測定した送信時間差と複数のｅＮＢに関する位置情報とに基づき、ＵＥの位置を計算する。
【０００３】
［関連出願への相互参照］
本願は、２０１４年４月２８日出願の米国仮特許出願第６１／９８５，３３８号の優先権を主張するものであり、その全開示をここに参照援用する。
【図面の簡単な説明】
【０００４】
本発明の実施形態は、添付した図面の実施例によって説明するが、本発明を限定するものではない。図中、同じ参照数字は同じ要素を指す。
【図１】様々な実施形態による３ＧＰＰ  ＬＴＥアーキテクチャに従ったユーザデバイス・ツー・デバイス（Ｄ２Ｄ）ネットワークの一実施形態を示す模式図である。
【図２】様々な実施形態によるＤ２ＤにおけるＤ２Ｄポジショニング方法のシグナリング手順の一実施形態を示す模式図である。
【図３】様々な実施形態における、アンカーＵＥに関するポジショニング補助データを用いてターゲットＵＥの位置を測定する環境の一実施形態を示す模式図である。
【図４】様々な実施形態による、ターゲットＵＥにより実装される、ターゲットＵＥの位置を測定する方法を示す模式図である。
【図５】様々な実施形態による、アンカーＵＥにより実装される、ターゲットＵＥの位置を測定する方法を示す模式図である。
【図６】様々な実施形態による一システム例を示す模式図である。
【発明を実施するための形態】
【０００５】
本開示の実施形態は、無線ネットワークにおけるデバイス内共存干渉（ｉｎ−ｄｅｖｉｃｅ  ｃｏｅｘｉｓｔｅｎｃｅ  ｉｎｔｅｒｆｅｒｅｎｃｅ）を処理する方法、システム、及び装置を含むが、これらに限定されない。
【０００６】
ここに例示した実施形態の様々な側面を、本技術分野の当業者が他の当業者に自らの業務内容を伝えるときに一般的に用いる用語を用いて説明する。しかし、当業者には言うまでもなく、説明した態様の一部だけを用いて、別の実施形態を実施してもよい。例示する実施形態をよく理解してもらうために、説明のため、具体的な数、材料、構成を記載する。しかし、当業者には言うまでもなく、別の実施形態はその具体的な詳細情報がなくても実施することができる。他の場合、例示する実施形態を分かりにくくしないため、周知の特徴は省略または簡略化する。
【０００７】
さらに、説明する実施形態の理解に最も役立つように、様々な動作を複数の個別の動作として順次説明する。しかし、説明の順序は、これらの動作がその順序に依存することを示唆すると解してはならない。特に、これらの動作は説明の順序で実施する必要はない。
【０００８】
「一実施形態では」という言葉を繰り返し用いる。この言葉は一般的には同じ実施形態を指すものではないが、同じ実施形態を指すこともある。文脈に反しない限り、「有する」や「含む」という言葉は同義である。「Ａ／Ｂ」は「ＡまたはＢ」を意味する。「Ａ及び／またはＢ」は「（Ａ）、（Ｂ）、または（ＡかつＢ）」を意味する。「Ａ、Ｂ、及びＣのうち少なくともひとつ」とは、「（Ａ）、（Ｂ）、（Ｃ）、（ＡかつＢ）、（ＡかつＣ）、（ＢかつＣ）、または（Ａ、Ｂ、かつＣ）」を意味する。「（Ａ）Ｂ」とは「（Ｂ）または（ＡＢ）」を意味する。すなわち、Ａは任意的である。
【０００９】
具体的な実施形態を例示して説明したが、当業者には言うまでもなく、例示して説明した具体的な実施形態は、本開示の実施形態の範囲から逸脱することなく、幅広い別の、及び／または等価な実施形態で置き換えることができる。本願は、本明細書で説明した実施形態の適応や変形を含むものである。それゆえ、本開示の実施形態は請求項及びその等価物によってのみ限定されるものである。
【００１０】
ここで用いているように、「モジュール」との用語は、特定用途集積回路（ＡＳＩＣ）、電子回路、プログラマブル論理回路、プロセッサ（共有、専用、またはグループ）及び／またはメモリ（共有、専用、またはグループ）であって一以上のソフトウェアまたはファームウェアプログラムを実行するもの、組み合わせ論理回路、及び／または説明の機能を提供するその他の好適なコンポーネントを指し、その一部であり、または含む。
【００１１】
図１は、様々な実施形態によるユーザデバイス・ツー・デバイス（Ｄ２Ｄ）無線通信ネットワーク１００の一実施形態を模式的に示している。Ｄ２Ｄ通信は、特に３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）標準及びその修正、更新、及び／又は改版に従った、無線通信ネットワーク１００のセルリソース（ｃｅｌｌ  ｒｅｓｏｕｒｃｅ）を共有することにより、互いに近くに位置するＵＥ間のある種の直接通信を言う。
【００１２】
図示したように、無線通信ネットワーク１００は、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０１、ＥＰＣ（Ｅｖｏｌｖｅｄ  Ｐａｃｋｅｔ  Ｃｏｒｅ）１０２、ＳＧＳＮ（Ｓｅｒｖｉｎｇ  ＧＰＲＳ  Ｓｕｐｐｏｒｔ  Ｎｏｄｅ）１０３などを含む。
【００１３】
様々な実施形態では、Ｅ−ＵＴＲＡＮ１０１は、３ＧＰＰ  ＬＴＥアーキテクチャ及び／又は無線ＬＡＮ（ＷＬＡＮ）アーキテクチャで動作するように構成された複数のユーザ機器（ＵＥ）１１２１−１１２５、ＵＥ１１２１−１１２５をＥＰＣ１０２と接続するサービング（ｓｅｒｖｉｎｇ）ｅＮＢ（ｅｖｏｌｖｅｄ  ＮｏｄｅＢ）などを含む。ＥＰＣ１０２は複数のサーバをさらに含んでもよい。例えば、ＭＭＥ／Ｓ−ＧＷ（Ｍｏｂｉｌｉｔｙ  Ｍａｎａｇｅｍｅｎｔ  Ｅｎｔｉｔｙ／Ｓｅｒｖｉｎｇ−Ｇａｔｅｗａｙ）１２０、Ｐ−ＧＷ（Ｐａｃｋｅｔ  Ｄａｔａ  Ｎｅｔｗｏｒｋ  （ＰＤＮ）  Ｇａｔｅｗａｙ）１２２、ＬＴＥ  ＬＢＳ（ＬＴＥ  ｌｏｃａｔｉｏｎ  ｂａｓｅ  ｓｅｒｖｅｒ）１２４などである。一実施形態では、ＬＢＳサーバ１２４は、詳細は後で説明するが、ロケーションポジショニングを目的として、インターフェース（例えば、ＬＴＥ実装の場合はＳ１／Ｓ２インターフェース、ＷＬＡＮ実装の場合は８０２．１１インターフェースなど）を介して、任意のＵＥ１０２１−１０２５と通信してもよい。
【００１４】
様々な実施形態では、ＵＥ１０２１−１０２５は、スマートフォン、タブレット、コンシューマエレクトロニクスデバイス、ラップトップコンピュータ、ノートブックコンピュータ、モバイルコンピューティングシステム、プロセッサベースシステム、及び／又はその他の任意のモバイル通信デバイスであってＬＢＳサーバ１２４などのデバイスからのポジショニング支援データを用いて位置を測定するように構成されたものとして実施することができるが、これに限定されない。
【００１５】
言うまでもなく、他の実施形態では、無線通信ネットワーク１００の他の技術を実装してもよい。例えば、Ｅ−ＵＴＲＡＮ１０１は、隣接するｅＮＢ１１４などの二以上のｅＮＢを含んでいてもよい。
【００１６】
図２は、様々な実施形態による無線通信ネットワーク１００におけるＤ２Ｄポジショニング方法のシグナリング手順の一実施形態を示す模式図である。
【００１７】
幾つかの実施形態では、ＵＥ１１０１−１１０５のうちのあるＵＥ（例えばＵＥ１１０１）は、ターゲットＵＥと呼ばれ、ＵＥ１１０１−１１０５のうちの他のＵＥ（例えばＵＥ１１０２）の既知の位置により、自機の位置を測定するように構成されていてもよい。この既知の位置はＬＢＳサーバ１２４により提供されてもよい。以下、ＵＥ１１０２−１１０５の位置がＬＢＳサーバ１２４に知られている場合、ＵＥ１１０２−１１０５をアンカーＵＥと呼ぶ。言うまでもなく、他の実施形態では、ターゲットＵＥ１１０１またはアンカーＵＥ１１０２に対してその他の技術を実装してもよい。例えば、ターゲットＵＥ１１０１及び／又はアンカーＵＥ１１０２は自機の位置を測定するように構成されていてもよい。他の例では、位置情報をＬＢＳサーバ１２４以外のデバイス、例えばサービングｅＮＢ１１３及び／又は隣接ｅＮＢ１１４などから取得してもよい。後でより詳細に説明する。
【００１８】
幾つかの実施形態では、ＬＢＳサーバ１２４は、サービングｅＮＢ１１３に、ポジショニング支援データ（ｐｏｓｉｔｉｏｎｉｎｇ  ａｓｓｉｓｔａｎｃｅ  ｄａｔａ）を含むＬＴＥポジショニングプロトコルＡ（ＬＰＰａ）メッセージを送信してもよい（シグナリング２０１）。ＬＰＰａメッセージはＲＲＣ（ｒａｄｉｏ  ｒｅｓｏｕｒｃｅ  ｃｏｎｔｒｏｌ）接続を介して送信されてもよい。幾つかの実施形態では、ポジショニング支援データは、ＬＢＳサーバ１２４（及び／又はその他のサービングｅＮＢ１１３などのデバイス）に知られているアンカーＵＥ１１０２−１１０５に関する位置情報（ｐｏｓｉｔｉｏｎ  ｉｎｆｏｒｍａｔｉｏｎ）を提供してもよい。幾つかの実施形態では、位置情報は、アンカーＵＥ１１０２−１１０５の位置表示（ｐｏｓｉｔｉｏｎ  ｉｎｄｉｃａｔｉｏｎ）を含み得る。この位置表示は、様々な情報要素（ＩＥ）を含む。情報要素とは、例えば、アンカーｅＮＢがいるサービングセル（ｓｅｒｖｉｎｇ  ｃｅｌｌ）の物理的セル識別子（Ｐｈｙｓｉｃａｌ  ｃｅｌｌ  ｉｄｅｎｔｉｆｉｅｒ（ＰｈｙｓＣｅｌｌＩｄ））、アンカーｅＮＢのデバイス識別子（ｄｅｖｉｃｅＩＤ）、及びその他のＩＥであってＬＢＳサーバ１２４又はサービングｅＮＢ１１３がアンカーＵＥ１１０２−１１０５を位置特定（ｌｏｃａｔｅ）するのを助けるもの（例えば、ＰｈｙｓＣｅｌｌＩｄとｄｅｖｉｃｅＩＤの位置表示をインデックスとして用いて、アンカーＵＥ１１０２の位置を見つけるもの）を含むが、これらに限定されない。
【００１９】
ポジショニング支援データは、さらに、ポジショニング参照信号タイプ（ＰｒｓＴｙｐｅ）などの情報要素（ＩＥ）を含んでいても良い。ポジショニング参照信号タイプは、ポジショニング参照信号（例えば、ＰＨｙｓＣｅｌｌＩｄとｄｅｖｉｃｅＩＤ）のタイプが、例えば、ターゲットデバイスとアンカーＵＥ（例えばアンカーＵＥ１１０２）との間のポジショニング測定に使えるか、Ｄ２Ｄポジショニング測定及び／又はセルラーポジショニング測定に使えるかどうかを指定するものであってもよい。幾つかの実施形態では、アンカーＵＥ１１０２−１１０５はターゲットＵＥ１１０１と同じサービングセル（ｓｅｒｖｉｎｇ  ｃｅｌｌ）にあってもよい。他の実施形態では、アンカーＵＥ１１０２−１１０５はターゲットＵＥ１１０１とは異なるサービングセル（ｓｅｒｖｉｎｇ  ｃｅｌｌ）にあってもよい。
【００２０】
幾つかの実施形態では、ポジショニング支援データは、上記の通り、ＩＥを含むＤ２Ｄポジショニングアンカーリスト（ｄ２ｄ−ｐｏｓｉｔｉｏｎｉｎｇ−ａｎｃｈｏｒ−ｌｉｓｔ）として実施されてもよい。他の実施形態では、ポジショニング支援データは、複数のＤ２Ｄポジショニングアンカーリストを含み、各Ｄ２Ｄポジショニングアンカーリストが各アンカーＵＥに対応していてもよい。例えば、Ｄ２Ｄポジショニングアンカーリストは、アンカーＵＥのｄｅｖｉｃｅＩＤ、ＰｈｙｓＣｅｌｌＩｄ、及びアンカーＵＥに関するＰｒｓＴｙｐｅを含んでいてもよい。このように、ポジショニング支援データは、アンカーＵＥをポジショニング関連情報（例えば、ｐｈｙＣｅｌｌｌｄ、ｄｅｖｉｃｅｌＤＬｉｓｔ、ｐｒｓＴｙｐｅなど）とマッチさせてもよい。Ｄ２Ｄポジショニングアンカーリストの例は、ＬＴＥ標準ＴＳ３６．３５５、セクション６．５．１．１に組み込まれてもよく、次のように記述されてもよい：
【００２１】
【数１】
2017513439.tif 000003
ＬＢＳサーバ１２４は、さらに、ＲＲＣ接続を通じてターゲットＵＥ１１０１にロケーションポジショニングプロトコル（ＬＰＰ）メッセージを送信してもよい（シグナリング２０２）。このメッセージは、シグナリング２０１に関して説明したのと同様の又は同一のポジショニング支援データを含んでいてもよい。ＬＰＰメッセージに応じて、ターゲットＵＥ１１０１は、ＲＲＣ接続を通じてアンカーＵＥ１１０２−１１０５に要求メッセージを送信してもよい。このメッセージはアンカーＵＥ１１０２−１１０５に、その位置情報がターゲットＵＥ１１０１に知られているかどうか問いあわせるものであってもよい。例えば、このメッセージは、アンカーＵＥ１１０２の絶対的位置（ａｂｓｏｌｕｔｅ  ｐｏｓｉｔｉｏｎ）を知っていることが真であるかの問いあわせに関するＩＥを含む「Ｐｏｓｉｔｉｏｎ−Ｋｎｏｗｎ」メッセージとして実施してもよい。「Ｐｏｓｉｔｉｏｎ−Ｋｎｏｗｎ」メッセージの例は、ＬＴＥ標準ＴＳ３６．３５５、セクション６．５．１．１に組み込まれ、次のように含まれてもよい：
【００２２】
【数２】
2017513439.tif 000004
幾つかの実施形態では、上記の要求メッセージに応じて、アンカーＵＥ１１０２−１１０５のうちの１つ（例えばアンカーＵＥ１１０２）が、その位置メッセージは、特にセキュリティを含む様々な要因に基づきターゲットＵＥ１１０１には知ることができると判断し、ＲＲＣ接続を介してターゲットＵＥ１１０１に応答を送ってもよい（シグナリング２０４）。応答メッセージは、アンカーＵＥ１１０２に関する位置情報を含んでいてもよい。位置情報は、例えば、アンカーＵＥ１１０２のｄｅｖｉｃｅＩＤ、ターゲットＵＥとアンカーＵＥとの間のとの間のポジショニング測定（例えば、Ｄ２Ｄ測定、セルラー測定など）に適した位置参照信号タイプを指定するＰｒｓＴｙｐｅ、その他である。幾つかの実施形態では、アンカーＵＥ１１０２は、さらに、アンカーＵＥ１１０２があるサービングセル（ｓｅｒｖｉｎｇ  ｃｅｌｌ）のＰｈｙｓＣｅｌｌＩｄを、その応答メッセージに含めてもよい（すなわちシグナリング２０４）。これはターゲットＵＥ１１０１がＰｈｙｓＣｅｌｌＩｄを読み出す仕事を省く役に立つことがある。
【００２３】
「ＰｏｓｉｔｉｏｎｉｎｇＰａｉｒＤｅｖｉｃｅＳｕｃｃｅｓｓ」メッセージの例は、ＬＴＥ標準ＴＳ３６．３５５、セクション６．５．１．１に組み込まれ、次のように含まれてもよい：
【００２４】
【数３】
2017513439.tif 000005
幾つかの実施形態では、ターゲットＵＥ１１０１は、アンカーＵＥ１１０２から受信した応答に基づいて、アンカーＵＥ１１０２に関する位置情報を読み出しても良い。例えば、ターゲットＵＥ１１０１は、アンカーＵＥ１１０２から受信したｄｅｖｉｃｅＩＤに対応するｄ２ｄ−ｐｏｓｉｔｉｏｎ−ａｎｃｈｏｒ−ｌｉｓｔから、アンカーＵＥ１１０２がいるサービングセルのＰｈｙｓＣｅｌｌＩｄを読み出しても良い。あるいは、アンカーＵＥ１１０２は、ターゲットＵＥ１１０１への応答にＰｈｙｓＣｅｌｌＩｄを含めて、ターゲットＵＥ１１０１がｄ２ｄ−ｐｏｓｉｔｉｏｎ−ａｎｃｈｏｒ−ｌｉｓｔからＰｈｙｓＣｅｌｌＩｄを読み出す必要がないようにしてもよい。
【００２５】
幾つかの実施形態では、ターゲットＵＥ１１０１は、ＬＴＥ以外の他の手段、例えば光フォーカス法とソナー（ｓｏｎａｒ）により、アンカーＵＥ１１０２に対してターゲットＵＥ１１０１の位置差分（ｄｅｌｔａ  ｐｏｓｉｔｉｏｎ）を推定してもよい。実装のため、ターゲットＵＥ１１０１は、ソナー波または光波のアンカーまでの往復時間の測定に基づいて、ターゲットＵＥ１１０１とアンカーＵＥ１１０２との間の距離を推定してもよい。
【００２６】
幾つかの実施形態では、ターゲットＵＥ１１０１は、その位置情報を、アンカーＵＥ１１０１に関する位置情報（すなわち、ＰｈｙｓＣｅｌｌＩｄとｄｅｖｉｃｅＩＤとを含む位置表示）と、アンカーＵＥ１１０２に対するターゲットＵＥ１１０１の位置差分とに基づいて生成する。ターゲットＵＥ１１０１は、さらに、その位置情報を、ＲＲＣ接続を介してサービングｅＮＢ１１３とＬＢＳサーバ１２４にレポートし（シグナリング２０６）、サービングｅＮＢ１１３及び／又はＬＢＳサーバ１２４が、アンカーＵＥ１１０２の位置表示をインデックスとして用いて取得したアンカーＵＥ１１０２の位置をターゲットＵＥ１１０１とアンカーＵＥ１１０２との間の位置差分に加算することにより、ターゲットＵＥ１１０１の位置を計算できるようにする。
【００２７】
図３は、様々な実施形態における、アンカーＵＥ１１０２に関するポジショニング補助データを用いてターゲットＵＥ１１０１の位置を測定する環境の一実施形態を示す模式図である。図３に示したように、ターゲットＵＥ１１０１は、３ＧＰＰ  ＬＴＥ標準及びその修正、更新、及び／又は改訂、又はＷＬＡＮ標準に従って、無線通信ネットワークを介してアンカーＵＥ１１０２と通信してもよい。
【００２８】
幾つかの実施形態では、ターゲットＵＥ１１０１は、通信モジュール３０１、制御モジュール３０２、入出力（Ｉ／Ｏ）デバイス３０３その他を含み得る。アンカーＵＥ３１０は、通信モジュール３１１、制御モジュール３１２ｎ入出力デバイス３１３その他を含み得る。ターゲットＵＥ１１０１の通信モジュール３０１は、アンカーＵＥ１１０２の通信モジュール３１１との間で、例えばシグナリング２０３−２０５などのように、情報を送受信してもよい。ターゲットＵＥ１１０１の通信モジュール３０１は、さらに、例えば、物理レイヤ３０１０、Ｌ２レイヤ３０１１、ＲＲＣレイヤ３０１２、及びその他のレイヤなどの複数のレイヤ（ｌａｙｅｒ  ｉｍｐｌｅｍｅｎｔａｔｉｏｎｓ）を含んでいてもよい。同様に、アンカーＵＥ１１０２の通信モジュール３１１は、さらに、例えば、物理レイヤ３１１０、Ｌ２レイヤ３１１１、ＲＲＣレイヤ３１１２、及びその他のレイヤなどの複数のレイヤ（ｌａｙｅｒ  ｉｍｐｌｅｍｅｎｔａｔｉｏｎｓ）を含んでいてもよい。より具体的に、ターゲットＵＥ１１０１のＲＲＣレイヤ３０１２は、ＲＲＣ接続を介してＬＢＳ１２４からポジショニング支援データを含むＬＬＰメッセージを受信してもよい（シグナリング２０１）。ＲＲＣレイヤ３０１２は、さらに、ＲＲＣレイヤ３１１２との間でシグナリング２０３−２０４を送受信してもよい。入出力デバイス３０３は、光フォーカス法及び／又はソナーを介してターゲットＵＥ１１０１とアンカーＵＥ１１０２との間の位置差分測定を実装することができるマイクロホンやカメラなどの周辺コンポーネントデバイスを含み得る。制御モジュール３０２は、通信モジュール３０１からのＰｈｙｓＣｅｌｌＩｄやｄｅｖｉｃｅＩＤなどのアンカーＵＥ１１０２に関する位置情報と、入出力デバイス３０３からの光フォーカス法やソナーなどの方法で測定した差分ポジショニングデータとを収集してもよい。制御モジュール３０２は、さらに、その位置レポートを、アンカーＵＥ１１０２に関する位置情報（例えば、ＰｈｙｓＣｅｌｌＩｄとｄｅｖｉｃｅＩＤを含む位置表示）と、アンカーＵＥ１１０２に対するターゲットＵＥ１１０１の位置差分とに基づき生成してもよい。ＲＲＣレイヤ３０１２は、さらに、位置レポートをサービングｅＮＢ１１３に送信してもよい。ターゲットＵＥ１１０１の位置レポートは、サービングｅＮＢ１１３及び／又はＬＢＳサーバ１２４が、アンカーＵＥ１１０２の位置をターゲットＵＥ１１０１とアンカーＵＥ１１０２との間の位置差分に加算することによってターゲットＵＥ１１０１の位置を取得する役に立つ。
【００２９】
しかし、言うまでもなく、他の実施形態では、ターゲットＵＥ１１０１またはアンカーＵＥ１１０２に対してその他の技術を実装してもよい。例えば、アンカーＵＥ１１０２との間でシグナリングとデータの送受信をするのは、ターゲットＵＥ１１０１の、ＲＲＣレイヤ３０１２以外のレイヤであってもよい。同様に、ターゲットＵＥ１１０１との間でシグナリングとデータの送受信をするのは、アンカーＵＥ１１０２の、ＲＲＣレイヤ３１１２以外のレイヤであってもよい。
【００３０】
図４は、様々な実施形態による、ターゲットＵＥにより実装されるターゲットＵＥの位置を測定する方法を示す模式図である。ブロック４０１において、ターゲットＵＥ１１０１の通信モジュール３０１又はその他のデバイスは、ＲＲＣ接続を介してターゲットＵＥ１１０１から、ポジショニング支援データを含むＬＰＰメッセージを受信してもよい。幾つかの実施形態では、ポジショニング支援データは、ＬＢＳサーバ１２４及び／又はその他のサービングｅＮＢ１１３などのデバイスに知られている、例えばアンカーＵＥ１１０２−１１０５の位置表示などのアンカーＵＥ１１０２−１１０５に関する位置情報（ｐｏｓｉｔｉｏｎ  ｉｎｆｏｒｍａｔｉｏｎ）を提供してもよい。アンカーＵＥ１１０２−１１０５の位置表示（ｐｏｓｉｔｉｏｎ  ｉｎｄｉｃａｔｉｏｎ）は、様々な情報要素（ＩＥ）を含む。情報要素とは、例えば、アンカーｅＮＢがいるサービングセル（ｓｅｒｖｉｎｇ  ｃｅｌｌ）の物理的セル識別子（Ｐｈｙｓｉｃａｌ  ｃｅｌｌ  ｉｄｅｎｔｉｆｉｅｒ（ＰｈｙｓＣｅｌｌＩｄ））、アンカーｅＮＢのデバイス識別子（ｄｅｖｉｃｅＩＤ）、及びその他のＩＥであってＬＢＳサーバ１２４又はサービングｅＮＢ１１３がアンカーＵＥ１１０２−１１０５を位置特定（ｌｏｃａｔｅ）するのを助けるもの（例えば、対応するＰｈｙｓＣｅｌｌＩｄとｄｅｖｉｃｅＩＤの位置表示をインデックスとして用いて、アンカーＵＥ１１０２の位置を見つけるもの）を含むが、これらに限定されない。
【００３１】
ポジショニング支援データは、さらに、ポジショニング参照信号タイプ（ＰｒｓＴｙｐｅ）などの情報要素（ＩＥ）を含んでいても良い。ポジショニング参照信号タイプは、ポジショニング参照信号（例えば、ＰｈｙｓＣｅｌｌＩｄとｄｅｖｉｃｅＩＤ）のタイプが、例えば、ターゲットデバイスとアンカーＵＥ（例えばアンカーＵＥ１１０２）との間のポジショニング測定に使えるか、Ｄ２Ｄポジショニング測定及び／又はセルラーポジショニング測定に使えるかどうかを指定するものであってもよい。幾つかの実施形態では、アンカーＵＥ１１０２−１１０５はターゲットＵＥ１１０１と同じサービングセル（ｓｅｒｖｉｎｇ  ｃｅｌｌ）にあってもよい。他の実施形態では、アンカーＵＥ１１０２−１１０５はターゲットＵＥ１１０１とは異なるサービングセル（ｓｅｒｖｉｎｇ  ｃｅｌｌ）にあってもよい。
【００３２】
幾つかの実施形態では、ポジショニング支援データは、上記の通り、ＩＥを含むＤ２Ｄポジショニングアンカーリスト（ｄ２ｄ−ｐｏｓｉｔｉｏｎｉｎｇ−ａｎｃｈｏｒ−ｌｉｓｔ）として実施されてもよい。他の実施形態では、ポジショニング支援データは、複数のＤ２Ｄポジショニングアンカーリストを含み、各Ｄ２Ｄポジショニングアンカーリストが各アンカーＵＥに対応していてもよい。例えば、Ｄ２Ｄポジショニングアンカーリストは、アンカーＵＥのｄｅｖｉｃｅＩＤ、ＰｈｙｓＣｅｌｌＩｄ、及びアンカーＵＥに関するＰｒｓＴｙｐｅを含んでいてもよい。このように、ポジショニング支援データは、アンカーＵＥをポジショニング関連情報（例えば、ｐｈｙＣｅｌｌｌｄ、ｄｅｖｉｃｅｌＤＬｉｓｔ、ｐｒｓＴｙｐｅなど）とマッチさせてもよい。Ｄ２Ｄポジショニングアンカーリストの例は、ＬＴＥ標準ＴＳ３６．３５５、セクション６．５．１．１に組み込まれてもよく、次のように記述されてもよい：
【００３３】
【数４】
2017513439.tif 000006
ブロック４０２において、ＵＥ１１０１の通信モジュール３０１又はその他のデバイスは、ＲＲＣ接続を通じてアンカーＵＥ１１０２−１１０５に要求メッセージを送信してもよい（シグナリング２０３）。このメッセージはアンカーＵＥ１１０２−１１０５に、その位置情報がターゲットＵＥ１１０１に知られているかどうか問い合わせるものであってもよい。例えば、このメッセージは、アンカーＵＥ１１０２の位置情報を知っていることが真であるかの問いあわせに関するＩＥを含む「Ｐｏｓｉｔｉｏｎ−Ｋｎｏｗｎ」メッセージとして実施してもよい。「Ｐｏｓｉｔｉｏｎ−Ｋｎｏｗｎ」メッセージの例は、ＬＴＥ標準ＴＳ３６．３５５、セクション６．５．１．１に組み込まれ、次のように含まれてもよい：
【００３４】
【数５】
2017513439.tif 000007
ブロック４０３において、ターゲットＵＥ１１０１の通信モジュール３０１その他のデバイスは、アンカーＵＥ１１０２−１１０５の１つ（例えば、アンカーＵＥ１１０２）から、応答を受信してもよい。アンカーＵＥ１１０２は、そのポジショニングメッセージをターゲットＵＥ１１０１が知り得ると判断し得る。幾つかの実施形態では、アンカーＵＥ１１０２は、特にセキュリティを含む様々な要因に基づき、そのポジショニングメッセージをターゲットＵＥ１１０１が知り得ると判断し得る。応答メッセージは、アンカーＵＥ１１０２に関する位置情報を含んでいてもよい。位置情報は、例えば、アンカーＵＥ１１０２のｄｅｖｉｃｅＩＤ、ターゲットＵＥとアンカーＵＥとの間のとの間のポジショニング測定（例えば、Ｄ２Ｄ測定、セルラー測定など）に適した位置参照信号タイプを指定するＰｒｓＴｙｐｅ、その他である。
【００３５】
幾つかの実施形態では、ターゲットＵＥ１１０１は、アンカーＵＥ１１０２から受信した応答に基づいて、アンカーＵＥ１１０２に関する位置情報を読み出しても良い。例えば、ターゲットＵＥ１１０１は、アンカーＵＥ１１０２から受信したｄｅｖｉｃｅＩＤに対応するｄ２ｄ−ｐｏｓｉｔｉｏｎ−ａｎｃｈｏｒ−ｌｉｓｔから、アンカーＵＥ１１０２がいるサービングセルのＰｈｙｓＣｅｌｌＩｄを読み出しても良い。あるいは、アンカーＵＥ１１０２は、ターゲットＵＥ１１０１への応答にＰｈｙｓＣｅｌｌＩｄを含めて、ターゲットＵＥ１１０１がｄ２ｄ−ｐｏｓｉｔｉｏｎ−ａｎｃｈｏｒ−ｌｉｓｔからＰｈｙｓＣｅｌｌＩｄを読み出す必要がないようにしてもよい。
【００３６】
「ＰｏｓｉｔｉｏｎｉｎｇＰａｉｒＤｅｖｉｃｅＳｕｃｃｅｓｓ」メッセージの例は、ＬＴＥ標準ＴＳ３６．３５５、セクション６．５．１．１に組み込まれ、次のように含まれてもよい：
【００３７】
【数６】
2017513439.tif 000008
ブロック４０４において、ターゲットＵＥ１１０１の入出力デバイス３０３その他のデバイスは、光フォーカス法やソナーなどの方法により、アンカーＵＥ１１０２に対するＵＥ１１０１の位置差分を測定してもよい。ブロック４０５において、ターゲットＵＥ１１０１の制御モジュール３０２その他のデバイスは、通信モジュール３０１からのアンカーＵＥ１１０２に関する位置情報（例えば、ＰｈｙｓＣｅｌｌＩｄとＤｅｖｉｃｅＩＤ）と、光フォーカス法やソナーなどの方法により測定された入出力デバイス３０３からの位置差分とを収集してもよい。制御モジュール３０２その他のデバイスは、さらに、アンカーＵＥ１１０２の位置情報と、ターゲットＵＥ１１０１とアンカーＵＥ１１０２との間の位置差分とに基づいて、ターゲットＵＥ１１０１の位置レポートを生成してもよい。ターゲットＵＥ１の位置レポートは、サービングｅＮＢ１１３及び／又はＬＢＳサーバ１２４が、アンカーＵＥ１１０２の位置をターゲットＵＥ１１０１とアンカーＵＥ１１０２との間の位置差分に加算することによってターゲットＵＥ１１０１の位置を取得する役に立つ。ブロック４０６において、ターゲットＵＥ１１０１の通信モジュールその他のデバイス（例えば、ＲＲＣレイヤ３０１２）は、さらに、サービングｅＮＢ１１３に対するターゲットＵＥ１１０１の相対的位置を送信してもよい。
【００３８】
言うまでもなく、他の技術で図４の方法の他の実施形態を実装してもよい。例えば、アンカーＵＥ１１０２との間でシグナリングとデータの送受信をするのは、ターゲットＵＥ１１０１の、ＲＲＣレイヤ３０１２以外のレイヤであってもよい。同様に、ターゲットＵＥ１１０１との間でシグナリングとデータの送受信をするのは、アンカーＵＥ１１０２の、ＲＲＣレイヤ３１１２以外のレイヤであってもよい。
【００３９】
図５は、様々な実施形態による、アンカーＵＥにより実装される、ターゲットＵＥの位置を測定する方法を示す模式図である。
【００４０】
ブロック５０１において、アンカーＵＥ１１０２の通信モジュールその他のデバイスは、位置表示（例えば、アンカーＵＥ１１０２に関するＰｈｙｓＣｅｌｌＩｄ、ｄｅｖｉｃｅＩｄ及びｐｒｓＴｙｐｅ）などの位置情報をＬＢＳ１２４に送信してもよい。ブロック５０２において、アンカーＵＥ１１０２の通信モジュール３１１その他のデバイスは、ターゲットＵＥ１１０１から要求メッセージを受信してもよい。このメッセージはアンカーＵＥ１１０２−１１０５に、その位置情報がターゲットＵＥ１１０１に知られているか問いあわせるものであってもよい。例えば、要求メッセージは「ｐｏｓｉｔｉｏｎ−ｋｎｏｗｎ」メッセージと呼ばれることもある。ブロック５０３において、アンカーＵＥ１１０２の通信モジュール３１１その他のデバイスは、ターゲットＵＥ１１０１に、要求に対する応答を送信してもよい。例えば、応答は、アンカーＵＥ１１０２に関するデバイス情報を含む「ＰｏｓｉｔｉｏｎｉｎｇＰａｉｒＤｅｖｉｃｅＳｕｃｃｅｓｓ」として実施されてもよい。デバイス情報は、例えば、アンカーＵＥ１１０２のｄｅｖｉｃｅＩＤ、ターゲットＵＥとアンカーＵＥとの間のポジショニング測定（例えば、Ｄ２Ｄ測定、ＬＴＥ測定など）に適したポジショニング参照信号タイプを指定するＰｒｓＴｙｐｅ、その他である。
【００４１】
図６は、様々な実施形態による一システム例を示す模式図である。
【００４２】
一実施形態では、システム６００は、一以上のプロセッサ６０４、プロセッサ６０４の少なくとも１つと結合したシステム制御ロジック６０８、システム制御ロジック６０８と結合したシステムメモリ６１２、システム制御ロジック６０８と結合した不揮発性メモリ（ＮＶＭ）／ストレージ６１６、及びシステム制御ロジック６０８と結合したネットワークインターフェース６２０を含んでいてもよい。
【００４３】
プロセッサ６０４は一以上のシングルコアまたはマルチコアのプロセッサを含んでいてもよい。プロセッサ６０４は、汎用プロセッサと専用プロセッサ（例えば、グラフィックスプロセッサ、アプリケーションプロセッサ、ベースバンドプロセッサなど）の組み合わせを含んでいてもよい。システム６００がターゲットＵＥ１１０１を実装する一実施形態では、プロセッサ６０４は、様々な実施形態による、図１ないし４に示したような一以上の実施形態を実行するように構成されていてもよい。システム６００がアンカーＵＥ１１０２を実装する一実施形態では、プロセッサ６０４は、様々な実施形態による、図１ないし３及び図５に示したような一以上の実施形態を実行するように構成されていてもよい。
【００４４】
一実施形態において、システム制御ロジック６０８は、プロセッサ６０４の少なくとも１つに、及び／またはシステム制御ロジック６０８と通信する任意の好適なデバイスまたはコンポーネントに、好適なインターフェースを提供する好適なインターフェースコントローラを含む。
【００４５】
システム制御ロジック６０８は、一実施形態では、システムメモリ６１２とのインターフェースを提供する１つ以上のメモリコントローラを含む。システムメモリ６１２は、例えばシステム６００のデータ及び／または命令をロード及び格納するために用いられる。システムメモリ６１２は、一実施形態では、ＤＲＡＭ（ｄｙｎａｍｉｃ  ｒａｎｄｏｍ  ａｃｃｅｓｓ  ｍｅｍｏｒｙ）などの好適な揮発性メモリを含んでいてもよい。
【００４６】
ＮＶＭ／ストレージ６１６は、例えば、データ及び／又は命令を格納するのに使う一以上の有体、非一時的コンピュータ読み取り可能媒体を含み得る。ＮＶＭ／ストレージ６１６は、フラッシュメモリなどの不揮発性メモリを含み、及び／または一以上のハードディスクドライブ（ＨＤＤ）、一以上のコンパクトディスク（ＣＤ）ドライブ、及び／又は一以上のデジタルバーサタイルディスク（ＤＶＤ）ドライブなどの好適な不揮発性ストレージデバイスを含み得る。
【００４７】
ＮＶＭ／ストレージ６１６は、システム６００がインストールされているデバイスの物理的に一部である記憶リソースを含み、そのデバイス（必ずしもその一部ではない）によりアクセス可能である。例えば、ＮＶＭ／ストレージ６１６はネットワークインターフェース６２０を介してネットワークによりアクセス可能である。
【００４８】
システムメモリ６１２とＮＶＭ／ストレージ６１６は、それぞれ、命令６２４の一時的及び永続的なコピーを含んでもよい。命令６２４は、プロセッサ６０４の少なくとも１つにより実行されると、システム６００に図４又は５を参照して説明した方法を実施させる命令を含んでいてもよい。様々な実施形態において、命令６２４またはそのハードウェア、ファームウェア、及び／又はソフトウェアコンポーネントは、追加的に／代替的に、システム制御ロジック６０８、ネットワークインターフェース６２０、及び／又はプロセッサ６０４に配置されてもよい。
【００４９】
ネットワークインターフェース６２０は、無線周波数モジュール（ＲＦモジュール）、ベースバンドモジュール、ＬＴＥモジュール、ＷｉＦｉモジュールなどを含み、システム６００に無線インターフェース（ｒａｄｉｏ  ｉｎｔｅｒｆａｃｅ）を提供し、一以上のネットワークにより、及び／又はその他の任意の好適なデバイスと通信してもよい。様々な実施形態において、ネットワークインターフェース６２０は、システム６００の他のコンポーネントと集積されてもよい。例えば、ネットワークインターフェースは、プロセッサ６０４のうちのプロセッサ、システムメモリ６１２のメモリ、ＮＶＭ／ストレージ６１６のＮＶＭ／ストレージ、及び／又はファームウェアデバイス（図示していない）であって、プロセッサ６０４の少なくとも１つで実行された結果、図４又は５を参照して説明した方法を実施する命令を有するものを含んでいてもよい。
【００５０】
ネットワークインターフェース６２０は、さらに、複数入力、複数出力無線インターフェースを提供する複数のアンテナなどの任意の好適なハードウェア及び／又はファームウェアを含んでいても良い。ネットワークインターフェース６２０は一実施形態では、ネットワークアダプタ、ワイヤレスネットワークアダプタ、電話モデム、及び／またはワイヤレスモデムなどであってもよい。
【００５１】
一実施形態では、プロセッサ６０４のうち少なくとも１つは、システム制御ロジック６０８の１つ以上のコントローラのロジックとともにパッケージされ得る。一実施形態では、プロセッサ６０４のうち少なくとも１つは、システム制御ロジック６０８の１つ以上のコントローラのロジックとともにパッケージされ、システムインパッケージ（ＳｉＰ）を構成し得る。一実施形態では、プロセッサ６０４のうち少なくとも１つは、システム制御ロジック６０８の１つ以上のコントローラのロジックと同じダイ（ｄｉｅ）に集積され得る。一実施形態では、プロセッサ６０４のうち少なくとも１つは、システム制御ロジック６０８の１つ以上のコントローラのロジックと同じダイ（ｄｉｅ）に集積され、システムオンチップ（ＳｏＣ）を構成し得る。
【００５２】
システム６００は、さらに、入出力（Ｉ／Ｏ）デバイス６３２を含んでいてもよい。Ｉ／Ｏデバイス６３２は、システム６００とのユーザインターラクション（ｕｓｅｒ  ｉｎｔｅｒａｃｔｉｏｎ）を可能とするようにデザインされたユーザインターフェース、システム６００との周辺コンポーネントインターラクションを可能とするようにデザインされた周辺コンポーネントインターフェース、及び／又はシステム６００に関する環境状態及び／又はロケーション情報を決定するようにデザインされたセンサを含んでいてもよい。
【００５３】
様々な実施形態において、ユーザインターフェースは、ディスプレイ（例えば、液晶ディスプレイ、タッチスクリーンディスプレイなど）、スピーカ、マイクロホン、一以上のカメラ（例えば、スチルカメラ及び／又はビデオカメラ）、フラッシュライト（例えば、発光ダイオードフラッシュ）、及びキーボードを含むがこれらに限定されない。
【００５４】
様々な実施形態において、周辺コンポーネントインターフェースは、不揮発性メモリポート、オーディオジャック、及び電源インターフェースを含んでもよいが、これらに限定されない。
【００５５】
様々な実施形態において、センサは、ジャイロセンサ、加速度計、近接センサ、周辺光センサ、及びポジショニングユニット（ｐｏｓｉｔｉｏｎｉｎｇ  ｕｎｉｔ）を含んでも良いが、これらに限定されない。ポジショニングユニットは、ネットワークインターフェース６２０の一部であり、又はそれとインターラクトしてもよく、ポジショニングネットワークのコンポーネント、例えば、ＧＰＳ（ｇｌｏｂａｌ  ｐｏｓｉｔｉｏｎｉｎｇ  ｓｙｓｔｅｍ）衛星と通信してもよい。
【００５６】
本開示は、下記の様々な実施形態を含んでいてもよい。
【００５７】
実施形態１において、無線ネットワークにおけるターゲットユーザ機器（ＵＥ）により実行される方法は、前記無線ネットワーク中のデバイスから第１のメッセージを受信するステップであって、前記第１のメッセージは一以上のアンカーＵＥに関する位置情報を含むステップと、前記無線ネットワーク中の前記アンカーＵＥに第２のメッセージを送信するステップであって、前記第２のメッセージは前記アンカーＵＥの少なくとも１つの位置が前記ターゲットＵＥに知られ得るかに関する問いあわせを含むステップと、前記少なくとも１つのアンカーＵＥから第３のメッセージを受信するステップであって、前記第３のメッセージは前記少なくとも１つのアンカーＵＥの位置が前記ターゲットＵＥに知られ得ることを示す、前記問いあわせに対する応答を含むステップとを含んでもよい。
【００５８】
実施形態２において、実施形態１による位置情報は前記アンカーＵＥの相対的位置を含み、前記相対的位置は、前記アンカーＵＥのデバイス識別子（ｄｅｖｉｃｅｌＤ）、前記アンカーＵＥがいる一以上のサービングセルの各々の物理的セル識別子（ＰｈｙｓＣｅｌｌＩｄ）、及び／又は前記ターゲットＵＥとアンカーＵＥの少なくとも１つとの間の位置測定に適した位置参照信号タイプを指定するインジケータ（ｐｒｓＴｙｐｅ）を含んでもよい。
【００５９】
実施形態３において、実施形態１−２のいずれかによる前記第１のメッセージは複数のｄ２ｄ−ｐｏｓｉｔｉｏｎｉｎｇ−ａｎｃｈｏｒ−ｌｉｓｔｓを含み、各々は前記アンカーＵＥの１つのデバイス識別子（ｄｅｖｉｃｅｌＤ）、前記アンカーＵＥの１つがいるサービングセルの物理的セル識別子（ＰｈｙｓＣｅｌｌＩｄ）、及び前記ターゲットＵＥと前記アンカーＵＥとの間の位置差分を測定するデバイス・ツー・デバイスポジショニング測定が適しているか（ｐｒｓＴｙｐｅ）に関する１つのインジケータを含んでもよい。
【００６０】
実施形態４において、実施形態１−３のいずれかによる前記第３のメッセージは、位置が前記ターゲットＵＥに知られ得るアンカーＵＥのデバイス識別子（ｄｅｖｉｃｅＩＤ）を含む、
実施形態５において、実施形態１−４のいずれかによる方法は、前記アンカーＵＥから受信したｄｅｖｉｃｅＩＤに基づいて、前記アンカーＵＥがいるサービングセルの物理的セル識別子（ＰｈｙｓＣｅｌｌＩｄ）を検索するステップを含んでいてもよい。
【００６１】
実施形態６において、実施形態１−５のいずれかによると、前記第３のメッセージは、前記アンカーＵＥがいるサービングセルの物理的セル識別子（ＰｈｙｓＣｅｌｌＩｄ）をさらに含んでもよい。
【００６２】
実施形態７において、実施形態１−６のいずれかによると、前記方法は、前記ターゲットＵＥと、位置が前記ターゲットＵＥに知られ得るアンカーＵＥとの間の位置差分を測定するステップをさらに含んでいても良い。
【００６３】
実施形態８において、実施形態７によると、前記位置差分は光フォーカス法又はソナーに基づき測定されてもよい。
【００６４】
実施形態９において、実施形態１−８のいずれかによると、前記デバイスはＬＢＳ（ｌｏｃａｔｉｏｎ  ｂａｓｅ  ｓｅｒｖｉｃｅ）サーバであってもよい。
【００６５】
実施形態１０において、実施形態１−９のいずれかによると、該方法は、前記アンカーＵＥの位置と、前記ターゲットＵＥとアンカーＵＥとの間の位置差分とに基づいて、前記ターゲットＵＥの相対的位置を生成するステップと、ＲＲＣ（ｒａｄｉｏ  ｒｅｓｏｕｒｃｅ  ｃｏｎｔｒｏｌ）接続を通じて、サービングｅＮＢに、相対的位置を含む第４のメッセージを送信するステップとをさらに含んでいてもよい。
【００６６】
実施形態１１において、実施形態１−１０のいずれかによると、方法は、第１のメッセージ、第２のメッセージ、及び第３のメッセージのうちの少なくとも１つは、ターゲットＵＥとアンカーＵＥとの間のＲＲＣ（ｒａｄｉｏ  ｒｅｓｏｕｒｃｅ  ｃｏｎｔｒｏｌ）接続を介して送信されてもよい。
【００６７】
実施形態１２において、実施形態１−１１のいずれかによると、前記無線ネットワークは、３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）標準及びその修正、更新、及び／又は改訂に従ってもよい。
【００６８】
実施形態１３において、実施形態１−１１のいずれかによると、前記無線ネットワークは、無線ＬＡＮ（ＷＬＡＮ）標準に従ってもよい。
【００６９】
実施形態１４において、無線ネットワークにおけるターゲットユーザ機器（ＵＥ）により利用される方法は、前記無線ネットワーク中のデバイスに第１のメッセージを送信するステップであって、前記第１のメッセージは前記アンカーＵＥに関する位置情報を含むステップと、前記無線ネットワーク中のターゲットＵＥから第２のメッセージを受信するステップであって、前記第２のメッセージは前記アンカーＵＥの位置が前記ターゲットＵＥに知られ得るかに関する問いあわせを含むステップと、前記アンカーＵＥから第３のメッセージを送信するステップであって、前記第３のメッセージは前記アンカーＵＥの位置が前記ターゲットＵＥに知られ得ることを示す、前記問いあわせに対する応答を含むステップとを含み得る。
【００７０】
実施形態１５において、実施形態１４によると、位置情報は前記アンカーＵＥの相対的位置を含んでいてもよく、前記相対的位置は、前記アンカーＵＥのデバイス識別子（ｄｅｖｉｃｅｌＤ）、前記アンカーＵＥがいるサービングセルの物理的セル識別子（ＰｈｙｓＣｅｌｌＩｄ）、及び／又は前記ターゲットＵＥとアンカーＵＥとの間の位置測定に適した位置参照信号タイプを指定するインジケータ（ｐｒｓＴｙｐｅ）を含んでいてもよい。
【００７１】
実施形態１６において、実施形態１４−１５のいずれかによると、前記第３のメッセージは、前記アンカーＵＥのデバイス識別子（ｄｅｖｉｃｅｌＤ）と、前記ターゲットＵＥとアンカーＵＥとの間の位置測定に適した位置参照信号タイプを指定するインジケータ（ｐｒｓＴｙｐｅ）とを含んでもよい。
【００７２】
実施形態１７において、実施形態１４−１６のいずれかによる方法は、前記アンカーＵＥから受信したｄｅｖｉｃｅＩＤに基づいて、前記アンカーＵＥがいるサービングセルの物理的セル識別子（ＰｈｙｓＣｅｌｌＩｄ）を検索するステップをさらに含んでいてもよい。
【００７３】
実施形態１８において、実施形態１４−１７のいずれかによると、前記第３のメッセージは、前記アンカーＵＥがいるサービングセルの物理的セル識別子（ＰｈｙｓＣｅｌｌＩｄ）をさらに含んでもよい。
【００７４】
実施形態１９において、実施形態１４−１８のいずれかによると、前記方法は、光フォーカス手段またはソナーに基づき、前記ターゲットＵＥとアンカーＵＥとの間の位置差分を測定するステップをさらに含んでいても良い。
【００７５】
実施形態２０において、実施形態１４−１９のいずれかによると、前記デバイスはＬＢＳ（ｌｏｃａｔｉｏｎ  ｂａｓｅ  ｓｅｒｖｉｃｅ）サーバであってもよい。
【００７６】
実施形態２１において、実施形態１４−２０のいずれかによると、該方法は、前記アンカーＵＥの位置がセキュリティファクタに基づいて前記ターゲットＵＥに知られ得ると決定するステップをさらに含んでいてもよい。
【００７７】
実施形態２２において、実施形態１４−２１のいずれかによると、第１のメッセージ、第２のメッセージ、及び第３のメッセージのうちの少なくとも１つは、アンカーＵＥとターゲットＵＥとの間のＲＲＣ（ｒａｄｉｏ  ｒｅｓｏｕｒｃｅ  ｃｏｎｔｒｏｌ）接続を介して送信されてもよい。
【００７８】
実施形態２３において、無線ネットワークにおけるターゲットユーザ機器（ＵＥ）は通信モジュールを含み、該通信モジュールは、前記無線ネットワーク中のデバイスから第１のメッセージを受信し、前記第１のメッセージは一以上のアンカーＵＥに関する位置情報を含み  前記無線ネットワーク中の前記アンカーＵＥに第２のメッセージを送信し、前記第２のメッセージは前記アンカーＵＥの少なくとも１つの位置が前記ターゲットＵＥに知られ得るかに関する問いあわせを含み、前記少なくとも１つのアンカーＵＥから第３のメッセージを受信し、前記第３のメッセージは前記少なくとも１つのアンカーＵＥの位置が前記ターゲットＵＥに知られ得ることを示す、前記問いあわせに対する応答を含んでいてもよい。
【００７９】
実施形態２４において、実施形態２３による位置情報は前記アンカーＵＥの相対的位置を含み、前記相対的位置は、前記アンカーＵＥのデバイス識別子（ｄｅｖｉｃｅｌＤ）、前記アンカーＵＥがいる一以上のサービングセルの各々の物理的セル識別子（ＰｈｙｓＣｅｌｌＩｄ）、及び／又は前記ターゲットＵＥとアンカーＵＥの少なくとも１つとの間の位置測定に適した位置参照信号タイプを指定するインジケータ（ｐｒｓＴｙｐｅ）を含む。
【００８０】
実施形態２５において、実施形態２３−２４のいずれかによる前記第１のメッセージは複数のｄ２ｄ−ｐｏｓｉｔｉｏｎｉｎｇ−ａｎｃｈｏｒ−ｌｉｓｔｓを含み、各々は前記アンカーＵＥの１つのデバイス識別子（ｄｅｖｉｃｅｌＤ）、前記アンカーＵＥの１つがいるサービングセルの物理的セル識別子（ＰｈｙｓＣｅｌｌＩｄ）、及び前記ターゲットＵＥと前記アンカーＵＥとの間の位置差分を測定するデバイス・ツー・デバイスポジショニング測定が適しているか（ｐｒｓＴｙｐｅ）に関する１つのインジケータを含んでいてもよい。
【００８１】
実施形態２６において、実施形態２３−２５のいずれかによると、前記第３のメッセージは、位置が前記ターゲットＵＥに知られ得るアンカーＵＥのデバイス識別子（ｄｅｖｉｃｅＩＤ）を含んでいてもよい。
【００８２】
実施形態２７において、実施形態２３−２６のいずれかによると、前記ターゲットＵＥは、前記アンカーＵＥから受信したｄｅｖｉｃｅＩＤに基づいて、前記アンカーＵＥがいるサービングセルの物理的セル識別子（ＰｈｙｓＣｅｌｌＩｄ）を検索する制御モジュールをさらに有していてもよい。
【００８３】
実施形態２８において、実施形態２３−２７のいずれかによると、前記第３のメッセージは、前記アンカーＵＥがいるサービングセルの物理的セル識別子（ＰｈｙｓＣｅｌｌＩｄ）をさらに含んでもよい。
【００８４】
実施形態２９において、実施形態２３−２８のいずれかによると、前記ターゲットＵＥは、前記ターゲットＵＥと、位置が前記ターゲットＵＥに知られ得るアンカーＵＥとの間の位置差分を測定する入出力デバイスをさらに含んでいても良い。
【００８５】
実施形態３０において、実施形態２３−２９のいずれかによると、前記位置差分は光フォーカス法又はソナーに基づき測定されてもよい。
【００８６】
実施形態３１において、実施形態２３−３０のいずれかによると、前記デバイスはＬＢＳ（ｌｏｃａｔｉｏｎ  ｂａｓｅ  ｓｅｒｖｉｃｅ）サーバであってもよい。
【００８７】
実施形態３２において、実施形態２７−３１のいずれかによると、前記制御モジュールは、さらに、前記アンカーＵＥの位置と、前記ターゲットＵＥとアンカーＵＥとの間の位置差分とに基づいて、前記ターゲットＵＥの相対的位置を生成してもよく、前記通信モジュールは、さらに、ＲＲＣ（ｒａｄｉｏ  ｒｅｓｏｕｒｃｅ  ｃｏｎｔｒｏｌ）接続を通じて、サービングｅＮＢに、相対的位置を含む第４のメッセージを送信してもよい。
【００８８】
実施形態３３において、実施形態２３−３２のいずれかによると、前記無線ネットワークは、３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）標準及びその修正、更新、及び／又は改訂に従ってもよい。
【００８９】
実施形態３４において、実施形態２３−３３のいずれかによると、前記無線ネットワークは、無線ＬＡＮ（ＷＬＡＮ）標準に従ってもよい。
【００９０】
実施形態３５において、前記アンカーＵＥは通信モジュールを有し、該通信モジュールは、前記無線ネットワーク中のデバイスに第１のメッセージを送信し、前記第１のメッセージは前記アンカーＵＥに関する位置情報を含み、前記無線ネットワーク中のターゲットＵＥから第２のメッセージを受信し、前記第２のメッセージは前記アンカーＵＥの位置が前記ターゲットＵＥに知られ得るかに関する問いあわせを含み、前記アンカーＵＥから第３のメッセージを受信し、前記第３のメッセージは前記アンカーＵＥの位置が前記ターゲットＵＥに知られ得ることを示す、前記問いあわせに対する応答を含んでいてもよい。
【００９１】
実施形態３６において、実施形態３５によると、第１のメッセージ中の位置情報は前記アンカーＵＥの相対的位置を含んでいてもよく、前記相対的位置は、前記アンカーＵＥのデバイス識別子（ｄｅｖｉｃｅｌＤ）、前記アンカーＵＥがいるサービングセルの物理的セル識別子（ＰｈｙｓＣｅｌｌＩｄ）、及び／又は前記ターゲットＵＥとアンカーＵＥとの間の位置測定に適した位置参照信号タイプを指定するインジケータ（ｐｒｓＴｙｐｅ）を含んでいてもよい。
【００９２】
実施形態３７において、実施形態３５−３６のいずれかによると、前記第３のメッセージは、前記アンカーＵＥのデバイス識別子（ｄｅｖｉｃｅｌＤ）と、前記ターゲットＵＥとアンカーＵＥとの間の位置測定に適した位置参照信号タイプを指定するインジケータ（ｐｒｓＴｙｐｅ）とを含んでもよい。
【００９３】
実施形態３８において、実施形態３５−３７のいずれかによると、アンカーＵＥは、前記アンカーＵＥから受信したｄｅｖｉｃｅＩＤに基づいて、前記アンカーＵＥがいるサービングセルの物理的セル識別子（ＰｈｙｓＣｅｌｌＩｄ）を検索する制御モジュールをさらに有していてもよい。
【００９４】
実施形態３９において、実施形態３５−３８のいずれかによると、前記第３のメッセージは、前記アンカーＵＥがいるサービングセルの物理的セル識別子（ＰｈｙｓＣｅｌｌＩｄ）をさらに含んでもよい。
【００９５】
実施形態４０において、実施形態３５−３９のいずれかによると、アンカーＵＥは、光フォーカス手段またはソナーに基づき、前記ターゲットＵＥとアンカーＵＥとの間の位置差分を測定する入出力デバイスをさらに有していても良い。
【００９６】
実施形態４１において、実施形態３５−４０のいずれかによる、前記デバイスはＬＢＳ（ｌｏｃａｔｉｏｎ  ｂａｓｅ  ｓｅｒｖｉｃｅ）サーバであってもよい。
【００９７】
実施形態４２において、実施形態３８−４１のいずれかによると、前記制御モジュールは、さらに、前記アンカーＵＥの位置がセキュリティファクタに基づいて前記ターゲットＵＥに知られ得ると決定してもよい。  
説明のため、幾つかの実施形態を例示して説明したが、本開示の範囲から逸脱することなく、同じ目的を達成するように計算されたさまざまな代替的及び／または等価的実施形態や実装が、図示及び説明した実施形態と置き換えることができる。本願は、本明細書で説明した実施形態の適応や変形を含むものである。それゆえ、ここに説明の実施形態は請求項及びその等価物のみにより限定されるものである。
【図１】
2017513439.tif 000009
【図２】
2017513439.tif 000010
【図３】
2017513439.tif 000011
【図４】
2017513439.tif 000012
【図５】
2017513439.tif 000013
【図６】
2017513439.tif 000014
【国際調査報告】
2017513439.tif 000015
2017513439.tif 000016